(57)【要約】【課題】本発明は、不正に見られたことが確認できるとともに、パスワード等を正確かつ簡単に読み取ることができる遮蔽シール及び遮蔽シールの製造方法を提供することを目的とする。【解決手段】本発明に係る遮蔽シールの代表的な構成は、裏面に粘着層２を有する透明ベースフィルム３と、裏面に擬似接着層４が形成され、擬似接着層４を介して透明ベースフィルム３の表面に貼着された不透明な表面フィルム５と、からなる遮蔽シール１であって、擬似接着層４は、透明ベースフィルム３側と表面フィルム５側に分離可能であり、分離後は再び両者を貼り合わせることができないように形成されていることを特徴とする。【選択図】  図２
2005250328.tif 000002
【特許請求の範囲】
【請求項１】
裏面に粘着層を有する透明ベースフィルムと、
裏面に擬似接着層が形成され、該擬似接着層を介して前記透明ベースフィルムの表面に貼着された不透明な表面フィルムと、からなる遮蔽シールであって、
前記擬似接着層は、前記透明ベースフィルム側と前記表面フィルム側に分離可能であり、分離後は再び両者を貼り合わせることができないように形成されていることを特徴とする遮蔽シール。
【請求項２】
請求項１に記載の遮蔽シールであって、
前記透明ベースフィルム及び前記表面フィルムは、四角形に形成されており、
該表面フィルムは少なくとも一端が前記透明ベースフィルムより短く、分離用余白が形成されていることを特徴とする遮蔽シール。
【請求項３】
離型紙の上に該離型紙より幅の狭い透明ベースフィルムシートを粘着する段階と、
該透明ベースフィルムシートの表面に該透明ベースフィルムシートより幅の狭い不透明な表面フィルムシートを両者の非重複領域を形成するように、再接着不可能な擬似接着層を介して貼着する段階と、
前記透明ベースフィルムシート及び表面フィルムシートを前記非重複領域を一部に含むように複数片を裁断し、前記分離用余白が形成された遮蔽シールを形成することを特徴とする遮蔽シールの製造方法。
【発明の詳細な説明】
【技術分野】
【０００１】
本発明は、パスワード、サイン、印影等を隠すようにシールし、一度剥がされてパスワード等が不正に取得された場合には、その事実が残るようにした遮蔽シール及び遮蔽シールの製造方法に関するものである。
【背景技術】
【０００２】
従来より、不正にパスワード、サイン、印影等を見ることが出来ないとともに、万一、これらを見られた場合には、不正に見られたことが容易に確認できるようにしようとするものがある（例えば、特許文献１参照）。
【０００３】
【特許文献１】特許第２９５８２６５号公報
【発明の開示】
【発明が解決しようとする課題】
【０００４】
しかしながら、上記従来のような遮蔽シールが剥離された場合には、一部の不透明層がパスワード等を記載した紙に残留して剥離される。このため、パスワード等を読み取る際にこの残留物がじゃまになり、リーダー等の機械で自動読み取りする際に誤って読み取ってしまったり、読み取りできないという問題があった。
【０００５】
また、遮蔽シールの貼着強度を調整して残留物を取り除くことができるようにしても、残留物を指等で擦る等の作業が必要となりパスワード等の読み取り作業が煩雑になるという問題があった。
【０００６】
そこで、本発明は、不正に見られたことが確認できるとともに、パスワード等を正確かつ簡単に読み取ることができる遮蔽シール及び遮蔽シールの製造方法を提供することを目的とする。
【課題を解決するための手段】
【０００７】
上記課題を解決するために本発明に係る遮蔽シールの第一の構成は、裏面に粘着層を有する透明ベースフィルムと、裏面に擬似接着層が形成され、該擬似接着層を介して前記透明ベースフィルムの表面に貼着された不透明な表面フィルムと、からなる遮蔽シールであって、前記擬似接着層は、前記透明ベースフィルム側と前記表面フィルム側に分離可能であり、分離後は再び両者を貼り合わせることができないように形成されていることを特徴とする。
【０００８】
また、上記課題を解決するために本発明に係る遮蔽シールの第二の構成は、第一の構成の遮蔽シールであって、前記透明ベースフィルム及び前記表面フィルムは、四角形に形成されており、該表面フィルムは少なくとも一端が前記透明ベースフィルムより短く、分離用余白が形成されていることを特徴とする。
【０００９】
上記課題を解決するために本発明に係る遮蔽シールの製造方法は、離型紙の上に該離型紙より幅の狭い透明ベースフィルムシートを粘着する段階と、該透明ベースフィルムシートの表面に該透明ベースフィルムシートより幅の狭い不透明な表面フィルムシートを両者の非重複領域を形成するように、再接着不可能な擬似接着層を介して貼着する段階と、前記透明ベースフィルムシート及び表面フィルムシートを前記非重複領域を一部に含むように複数片を裁断し、前記分離用余白が形成された遮蔽シールを形成することを特徴とする。
【発明の効果】
【００１０】
以上説明したように、第一の構成の遮蔽シールにより、不正に見られたことが確認できるとともに、パスワード等を正確かつ簡単に読み取ることができる。
【００１１】
また、第二の構成の遮蔽シールにより、表面フィルムのみを容易に剥がすことができ、使い勝手をよくすることができる。
【００１２】
また、上記遮蔽シールの製造方法により、複数の遮蔽シールを一度に形成することができ、生産効率を高めることができる。
【発明を実施するための最良の形態】
【００１３】
本発明に係る遮蔽シール及び遮蔽シールの製造方法の実施形態について、図を用いて説明する。図１、図２は本実施形態にかかる遮蔽シールの使用状態の説明図、図３は遮蔽シールの断面図である。
【００１４】
図１、図２に示すように、遮蔽シール１は、暗証番号、パスワード、サイン、印影等の不正取得防止を目的として、遮蔽シール１が剥がされて暗証番号等が不正に取得された事実のないことを保証するものであり、暗証番号等の記載された用紙に貼り付けて使用される。
【００１５】
図３に示すように、遮蔽シール１は、裏面から粘着層２、透明ベースフィルム３、擬似接着層４、表面フィルム５を順に積層して形成されている。遮蔽シール１は、暗証番号Ｃ（図１参照）が記載された部分を覆うように長方形に形成されている。
【００１６】
粘着層２は、透明ベースフィルム３の裏面に各種粘着剤を塗布することにより形成されている。透明ベースフィルム３は、透明な樹脂にて形成され、粘着層２を介して暗証番号Ｃの上に貼り付けられた状態で暗証番号Ｃを読み取り可能に形成されている。
【００１７】
擬似接着層４は、透明ベースフィルム３側と表面フィルム５側に分離可能であり、分離後は再び両者を貼り合わせることができないように形成されている。表面フィルム５は、擬似接着層４を介して透明ベースフィルム３の表面に貼着されている。表面フィルム５は、目隠し用の印刷等が施された不透明なフィルムであって、不透明な紙とフィルムを貼り合わせて形成されたり、フィルム単体にて形成されている。
【００１８】
透明ベースフィルム３及び表面フィルム５は、長方形に形成されており、表面フィルム５は一端が透明ベースフィルム３より短く、透明ベースフィルム３の一端には分離用余白３ａが形成されている。
【００１９】
次に、遮蔽シール１の使用方法について説明する。まず、離型紙から遮蔽シール１を剥がし、図１（ａ）、図１（ｂ）に示すように、暗証番号Ｃを記載した用紙Ｐの暗証番号Ｃ部分に貼り付ける。
【００２０】
そして、この遮蔽シール１を貼り付けた用紙Ｐを受け取った者は、図２（ａ）、図２（ｂ）に示すように、透明ベースフィルム３から表面フィルム５を剥がす。この際、分離用余白３ａと表面フィルム５の境にて表面フィルム５のみを簡単に剥がすことができる。
【００２１】
表面フィルム５を剥がす際に、擬似接着層４が透明ベースフィルム３側と表面フィルム５側に分離される。分離した擬似接着層４は再び貼り合わせることができず、剥がした表面フィルム５は透明ベースフィルム３に貼り付けるとこができない。
【００２２】
表面フィルム５を剥がした後、図２（ｂ）に示すように、透明ベースフィルム３を透かして暗証番号Ｃが視認可能となり、リーダー等で暗証番号Ｃを自動読み取りしてデータベースに登録する。
【００２３】
このように、透明ベースフィルム３と表面フィルム５の間に擬似接着層４を設け、剥がした表面フィルム５を用紙Ｐに残った透明ベースフィルム３に貼り付けることができない構成とした。これにより、遮蔽シール１で遮蔽していた暗証番号Ｃが不正に見られたことを確認できる。
【００２４】
また、表面フィルム５を剥がした際に、透明ベースフィルム３のみが用紙Ｐに残る構成とした。これにより、表面フィルム５を剥がすだけで、透明ベースフィルム３を透かして暗証番号Ｃが視認でき、パスワード等を正確かつ簡単に読み取ることができる。
【００２５】
また、表面フィルム５の一端を透明ベースフィルム３より短くし、透明ベースフィルム３の一端に分離用余白３ａを形成した。これにより、表面フィルム５のみを容易に剥がすことができ、使い勝手をよくすることができる。
【００２６】
次に、遮蔽シール１の製造方法について説明する。図４、図５は遮蔽シールの製造方法の説明図である。まず、図４（ａ）に示すように、離型紙Ｓより幅の狭い透明ベースフィルムシート10を、離型紙Ｓの幅方向中央に粘着する。続いて、図４（ｂ）に示すように、透明ベースフィルムシート10より幅の狭い不透明な表面フィルムシート11を、透明ベースフィルムシート10の表面の幅方向中央に、両者の非重複領域10ａを形成するように、再接着不可能な擬似接着層４を介して貼着する。
【００２７】
そして、図５（ａ）に示すように、透明ベースフィルムシート10及び表面フィルムシート11を非重複領域10ａを一部に含むように複数片を裁断し、分離用余白３ａが形成された遮蔽シール１を形成する。その後、図５（ｂ）に示すように、透明ベースフィルムシート10及び表面フィルムシート11の裁断により余った部分を離型紙Ｓから剥がす。
【００２８】
このように、透明ベースフィルムシート10、表面フィルムシート11を用いて遮蔽シール１を形成することにより、複数の遮蔽シール１を一度に形成することができ、生産効率を高めることができる。
【００２９】
尚、本実施形態では、透明ベースフィルムシート10及び表面フィルムシート11の幅方向両側に遮蔽シール１を形成する製造方法について説明したが、透明ベースフィルムシート10の片側のみ非重複領域10ａを形成するようにし、透明ベースフィルムシート10及び表面フィルムシート11の幅方向片側にのみ遮蔽シール１を形成してもよい。
【産業上の利用可能性】
【００３０】
本発明の活用例として、ＡＴＭやデビットカード等の暗証番号等の隠蔽に適用可能である。
【図面の簡単な説明】
【００３１】
【図１】本実施形態にかかる遮蔽シールの使用状態の説明図である。
【図２】遮蔽シールの使用状態の説明図である。
【図３】遮蔽シールの断面図である。
【図４】遮蔽シールの製造方法の説明図である。
【図５】遮蔽シールの製造方法の説明図である。
【符号の説明】
【００３２】
Ｃ    …暗証番号
Ｐ    …用紙
Ｓ    …離型紙
１    …遮蔽シール
２    …粘着層
３    …透明ベースフィルム
３ａ  …分離用余白
４    …擬似接着層
５    …表面フィルム
10    …透明ベースフィルムシート
10ａ  …非重複領域
11    …表面フィルムシート
【図１】
2005250328.tif 000003
【図２】
2005250328.tif 000004
【図３】
2005250328.tif 000005
【図４】
2005250328.tif 000006
【図５】
2005250328.tif 000007